(57)【特許請求の範囲】
【請求項１】
正面板と、該正面板に対してほぼ直交するよう両側に折曲されている側板からなる断面コ字状の導電板と、
該導電板における前記正面板の一縁部からほぼ垂直方向に形成されているスリットにより構成されている水平偏波用アンテナと、
前記正面板と、該正面板の両側に形成されている側板とにほぼ水平方向に形成されているスロットにより構成されている垂直偏波用アンテナと、
を備えることを特徴とする偏波ダイバーシチアンテナ。
【請求項２】
円弧状正面板と、該円弧状正面板に対してほぼ直交するよう両側に折曲されている側板からなる断面Ｕ字状の導電板と、
該導電板における前記円弧状正面板の一縁部からほぼ垂直方向に形成されているスリットにより構成されている水平偏波用アンテナと、
前記円弧状正面板と、該円弧状正面板の両側に形成されている側板とにほぼ水平方向に形成されているスロットにより構成されている垂直偏波用アンテナと、
を備えることを特徴とする偏波ダイバーシチアンテナ。
【請求項３】
前記水平偏波用アンテナが、前記スリットに替えてほぼ垂直方向に形成されているスロットにより構成されているスロットアンテナとされていることを特徴とする請求項１あるいは２記載の偏波ダイバーシチアンテナ。
【請求項４】
前記側板に形成されている前記垂直偏波用アンテナにおける前記スロットの端部が折り返されていると共に、該折り返されているスロットに対応する前記側板の縁部が切り取られていることを特徴とする請求項１ないし３のいずれかに記載の偏波ダイバーシチアンテナ。
【請求項５】
前記側板の切り取られていない縁部が折曲されていることを特徴とする請求項４に記載の偏波ダイバーシチアンテナ。
【請求項６】
前記水平偏波用アンテナにおける前記スロットの端部が折り返されていることを特徴とする請求項３記載の偏波ダイバーシチアンテナ。
【発明の詳細な説明】
【０００１】
【発明の属する技術分野】
本発明は、水平偏波用アンテナと垂直偏波用アンテナとを一体とした偏波ダイバーシチアンテナに関するものである。
【０００２】
【従来の技術】
一般に、反射波が多い電波伝搬環境となる移動体での受信や室内での受信では、進行波と反射波とにより空間に定在波が生じるようになるため、受信位置により受信電界が大きく変化するようになる。このため、良好な受信を行うことが困難となる。このような受信電界の変化を小さくする方法として、ダイバーシチ受信が用いられている。ダイバーシチ受信には、同一偏波のアンテナを複数用いる空間ダイバーシチと、偏波の異なるアンテナを用いる偏波ダイバーシチとがある。いずれも受信電界の大きい方を受信するため受信位置による電界変化が少なく反射波が多い電波伝搬環境においては適した受信であることが知られている。例えば、定在波が生じている電波伝搬環境においてダイポールアンテナを用いて受信する場合と、偏波ダイバーシチアンテナを用いて受信する場合のアンテナ移動距離（波長）に対する相対受信電界強度特性を示すグラフを図１５に示す。図１５を参照すると、偏波ダイバーシチアンテナを用いると受信電界強度の変化が小さくなることがわかる。
【０００３】
【発明が解決しようとする課題】
ところで、地上デジタル放送はＵＨＦ帯域とされていることから、その受信アンテナを小型とすることができる。すると、地上デジタル放送用受信アンテナを室内に設置して地上デジタル放送を受信することが考えられる。この場合、前述したように室内においては定在波が生じている電波伝搬環境になり易いことから、地上デジタル放送用受信アンテナはダイバーシチアンテナとするのが好適となる。しかしながら、ダイバーシチアンテナは複数のアンテナを必要とすることから、大きな設置場所が必要になるという問題点があった。また、室内に設置するアンテナはその設置方向を任意にできることが取り扱う上で好適であり、無指向性のアンテナとすることが望まれるという問題があった。
【０００４】
そこで、本発明は、水平偏波用アンテナと垂直偏波用アンテナとを無指向性となるように一体として小型化した偏波ダイバーシチアンテナを提供することを目的としている。
【０００５】
【課題を解決するための手段】
上記目的を解決するために、本発明の第１の偏波ダイバーシチアンテナは、正面板と、該正面板に対してほぼ直交するよう両側に折曲されている側板からなる断面コ字状の導電板と、該導電板における前記正面板の一縁部からほぼ垂直方向に形成されているスリットにより構成されている水平偏波用アンテナと、前記正面板と、該正面板の両側に形成されている側板とにほぼ水平方向に形成されているスロットにより構成されている垂直偏波用アンテナとを備えている。
【０００６】
また、上記目的を達成することのできる本発明の第２の偏波ダイバーシチアンテナは、円弧状正面板と、該円弧状正面板に対してほぼ直交するよう両側に折曲されている側板からなる断面Ｕ字状の導電板と、該導電板における前記円弧状正面板の一縁部からほぼ垂直方向に形成されているスリットにより構成されている水平偏波用アンテナと、前記円弧状正面板と、該円弧状正面板の両側に形成されている側板とにほぼ水平方向に形成されているスロットにより構成されている垂直偏波用アンテナとを備えている。
【０００７】
さらに、上記目的を達成することのできる本発明の第３の偏波ダイバーシチアンテナは、前記水平偏波用アンテナが、前記スリットに替えてほぼ垂直方向に形成されているスロットにより構成されているスロットアンテナとされている。
さらにまた、上記本発明の第１ないし第３の偏波ダイバーシチアンテナにおいて、前記側板に形成されている前記垂直偏波用アンテナにおける前記スロットの端部が折り返されていると共に、該折り返されているスロットに対応する前記側板の縁部が切り取られているようにしてもよい。
さらにまた、上記本発明の第１ないし第３の偏波ダイバーシチアンテナにおいて、前記側板の切り取られていない縁部が折曲されていてもよい。
さらにまた、上記本発明の第３の偏波ダイバーシチアンテナにおいて、前記水平偏波用アンテナにおける前記スロットの端部が折り返されていてもよい。
【０００８】
このような本発明によれば、導電板を断面コ字状あるいはＵ字状に折曲して、この導電板にほぼ垂直方向のスリットを設けて水平偏波用アンテナとすると共に、ほぼ水平方向のスロットを設けて垂直偏波用アンテナとしたので、水平偏波用アンテナと垂直偏波用アンテナとを一体化した偏波ダイバーシチアンテナとすることができる。このため、偏波ダイバーシチアンテナを小型化することができ、ＵＨＦ帯の偏波ダイバーシチアンテナに適用した際には室内に設置可能な小型のアンテナとすることができる。さらに、断面コ字状あるいはＵ字状に折曲したことから、水平偏波用アンテナおよび垂直偏波用アンテナをほぼ無指向性とすることができ、室内に設置した際に設置方向を任意に向けることができるようになる。また、スロットの端部を折り曲げるようにしたので、さらに偏波ダイバーシチアンテナを小型化することができる。
【０００９】
【発明の実施の形態】
本発明の実施の形態にかかる偏波ダイバーシチアンテナの第１の構成を図１に示す。
本発明にかかる第１の偏波ダイバーシチアンテナ１は、図１に示すように導電性の板、好適には金属板を断面コ字状に折曲して構成されている。すなわち、偏波ダイバーシチアンテナ１は、正面板１４と、正面板１４の両側をほぼ直交するように折曲して形成されている左側板１５と右側板１６とから構成されている。正面板１４には、上縁からほぼ垂直方向に所定長のスリット１０ａが形成されており、スリット１０ａをまたぐようにその上部に第１給電点１１が設けられて水平偏波用ノッチアンテナ１０が構成されている。この水平偏波用ノッチアンテナ１０の第１給電点１１から給電した際に、スリット１０ａに磁流が発生して、周囲の導体に放射のための電流が流れることにより、スリット１０ａの延伸方向に直交する偏波が放射されるようになる。すなわち、スリット１０ａがほぼ垂直方向に形成されていると、水平偏波用ノッチアンテナ１０は、水平偏波用のアンテナとして動作するようになる。
【００１０】
また、ノッチアンテナはモノポールアンテナの補対構造と見なされ、スリット１０ａのスリット長を、使用周波数帯域における中心周波数の波長の約１／４波長の長さとすると、第１給電点１１のインピーダンスは約７５Ωとなる。さらに、水平偏波用ノッチアンテナ１０が形成されている導電板の幅は、使用周波数帯域における中心周波数の波長λの約１／２波長の長さとされる。従って、正面板１４の幅をＢ、左側板１５および右側板１６の幅をＡ’とすると、
Ｂ＋２Ａ’≒λ／２        （１）
となる。なお、左側板１５および右側板１６の端部は内側に折曲された折曲部１５ａ，１６ａとされて、左側板１５および右側板１６の見かけ上の幅はＡと小さくされている。
【００１１】
また、正面板１４から左側板１５、および、正面板１４から右側板１６にわたり所定長のスロット１２ａが形成されており、スロット１２ａのほぼ中心点の両側に第２給電点１３が設けられて垂直偏波用スロットアンテナ１２が構成されている。スロット１２ａの長さは、使用周波数帯域における中心周波数の波長λの約λ／２の長さとされる。この垂直偏波用スロットアンテナ１２の第２給電点１３から給電した際に、スロット１２ａに磁流が発生して、周囲の導体に放射のための電流が流れることにより、スロット１２ａの延伸方向に直交する偏波が放射されるようになる。すなわち、スロット１２ａがほぼ水平方向に形成されていると、垂直偏波用スロットアンテナ１２は、垂直偏波用のアンテナとして動作するようになる。また、左側板１５と右側板１６に形成されているスロット１２ａにおける端部には、折り返し部１２ｂがそれぞれ形成されている。この折り返し部１２ｂが形成されていることにより、スロット１２ａが形成されている左側板１５および右側板１６の幅を短くできる。すなわち、スロット１２ａに対応する部位の端部を切り取ることができ、図１に示すようにスリット１０ａに対応する切り取ることができない端部が前述したように内側に折曲された折曲部１５ａ，１６ａとされている。すなわち、左側板１５および右側板１６の下部の幅をＡと小さくすることができる。
【００１２】
ここで、図１に示す第１の偏波ダイバーシチアンテナ１を地上デジタル放送を受信する受信アンテナに適用した際の偏波ダイバーシチアンテナ１の寸法の一例について説明する。この場合の偏波ダイバーシチアンテナ１を動作させる周波数範囲を４７０ＭＨｚ〜７７０ＭＨｚとする。すると、正面板１４の幅Ｂは中心周波数の波長の約λ／８とされて、約６０ｍｍとすることができる。また、左側板１５および右側板１６の幅Ａは約８５ｍｍとなり、高さＨは中心周波数の波長のλ／２以下の約２００ｍｍとすることができる。このように、本発明にかかる偏波ダイバーシチアンテナ１は地上デジタル放送用受信アンテナに適用した際に小型となり、室内に設置して地上デジタル放送を受信するアンテナとして好適なアンテナとなる。
【００１３】
次に、図１に示す第１の偏波ダイバーシチアンテナ１の変形例を図２に示す。図２に示す偏波ダイバーシチアンテナ２は、図１に示す第１の偏波ダイバーシチアンテナ１における折曲部１５ａ、１６ａを折曲せずに、突出部２５ａ，２６ａとしたものである。偏波ダイバーシチアンテナ２における他の構成については、図１に示す第１の偏波ダイバーシチアンテナ１と同様とされているのでその説明は省略する。
【００１４】
次に、本発明の実施の形態にかかる偏波ダイバーシチアンテナの第２の構成を図３に示す。
本発明にかかる第２の偏波ダイバーシチアンテナ３は、図３に示すように導電性の板、好適には金属板を断面Ｕ字状に折曲して構成されている。すなわち、偏波ダイバーシチアンテナ３は、円弧状正面板３４と、この円弧状正面板３４の両側から対面するように延伸されている左側板３５と右側板３６とから構成されている。円弧状正面板３４には、上縁からほぼ垂直方向に所定長のスリット３０ａが形成されており、スリット３０ａをまたぐようにその上部に第１給電点３１が設けられて水平偏波用ノッチアンテナ３０が構成されている。この水平偏波用ノッチアンテナ３０の第１給電点３１から給電した際に、スリット３０ａに磁流が発生して、周囲の導体に放射のための電流が流れることにより、スリット３０ａの延伸方向に直交する偏波が放射されるようになる。すなわち、スリット３０ａがほぼ垂直方向に形成されていると、水平偏波用ノッチアンテナ３０は、水平偏波用のアンテナとして動作するようになる。
【００１５】
また、ノッチアンテナはモノポールアンテナの補対構造と見なされ、スリット３０ａのスリット長を、使用周波数帯域における中心周波数の波長の約１／４波長の長さとすると、第１給電点のインピーダンスは約７５Ωとなる。さらに、水平偏波用ノッチアンテナ３０が形成されている導電板の幅は、使用周波数帯域における中心周波数の波長λの約１／２波長の長さとされる。従って、円弧状正面板３４、左側板３５および右側板３６の幅を合わせると、約λ／２となる。
また、円弧状正面板３４から左側板３５、および、円弧状正面板３４から右側板３６にわたり所定長のスロット３２ａが形成されており、スロット３２ａのほぼ中心点の両側に第２給電点３３が設けられて垂直偏波用スロットアンテナ３２が構成されている。スロット３２ａの長さは、使用周波数帯域における中心周波数の波長λの約λ／２の長さとされる。
【００１６】
この垂直偏波用スロットアンテナ３２の第２給電点３３から給電した際に、スロット３２ａに磁流が発生して、周囲の導体に放射のための電流が流れることにより、スロット３２ａの延伸方向に直交する偏波が放射されるようになる。すなわち、スロット３２ａがほぼ水平方向に形成されていると、垂直偏波用スロットアンテナ３２は、垂直偏波用のアンテナとして動作するようになる。また、左側板３５と右側板３６に形成されているスロット３２ａにおける端部には、折り返し部３２ｂがそれぞれ形成されている。この折り返し部３２ｂが形成されていることにより、スロット３２ａが形成されている左側板３５および右側板３６の幅を短くできる。すなわち、図３に示すように左側板３５および右側板３６の端部を切り取ることができる。なお、スリット３０ａに対応する左側板３５および右側板３６の切り取ることができない端部３５ａ，３６ａを内側に折曲して、偏波ダイバーシチアンテナ３をより小型にしてもよい。図３に示す第２の偏波ダイバーシチアンテナ３を地上デジタル放送を受信する受信アンテナに適用した際には、第１の偏波ダイバーシチアンテナ１と同様の寸法とすることができ、小型の地上デジタル放送用受信アンテナとなることから、室内に設置して地上デジタル放送を受信するアンテナとして好適なアンテナとなる。
【００１７】
次に、本発明の実施の形態にかかる偏波ダイバーシチアンテナの第３の構成を図４に示す。
本発明にかかる第３の偏波ダイバーシチアンテナ４は、図４に示すように導電性の板、好適には金属板を断面Ｕ字状に折曲して構成されている。すなわち、偏波ダイバーシチアンテナ４は、正面板４４と、この正面板４４の両側から直交するよう折曲されている左側板４５と右側板４６とから構成されている。正面板４４には、ほぼ垂直方向に所定長のスロット４０ａが形成されており、スロット４０ａのほぼ中央をまたぐように第１給電点４１が設けられて水平偏波用スロットアンテナ４０が構成されている。スロット４０ａの長さは、使用周波数帯域における中心周波数の波長λの約λ／２の長さとされる。この水平偏波用スロットアンテナ４０の第１給電点４１から給電した際に、スロット４０ａに磁流が発生して、周囲の導体に放射のための電流が流れることにより、スロット４０ａの延伸方向に直交する偏波が放射されるようになる。すなわち、スロット４０ａがほぼ垂直方向に形成されていると、水平偏波用スロットアンテナ４０は、水平偏波用のアンテナとして動作するようになる。
【００１８】
また、スロット４０ａの両端は両側に折り返されて折り返し部４０ｂが形成されている。これにより、水平偏波用スロットアンテナ４０の長さを短くするようにしている。さらに、水平偏波用スロットアンテナ４０が形成されている導電板の幅は、使用周波数帯域における中心周波数の波長λの約１／２波長の長さとされる。従って、正面板４４、左側板４５および右側板４６の幅を合わせると、約λ／２となる。
また、正面板４４から左側板４５、および、正面板４４から右側板４６にわたり所定長のスロット４２ａが形成されており、スロット４２ａのほぼ中心点の両側に第２給電点４３が設けられて垂直偏波用スロットアンテナ４２が構成されている。スロット４２ａの長さは、使用周波数帯域における中心周波数の波長λの約λ／２の長さとされる。
【００１９】
この垂直偏波用スロットアンテナ４２の第２給電点４３から給電した際に、スロット４２ａに磁流が発生して、周囲の導体に放射のための電流が流れることにより、スロット４２ａの延伸方向に直交する偏波が放射されるようになる。すなわち、スロット４２ａがほぼ水平方向に形成されていると、垂直偏波用スロットアンテナ４２は、垂直偏波用のアンテナとして動作するようになる。また、左側板４５と右側板４６に形成されているスロット４２ａにおける端部には、折り返し部４２ｂがそれぞれ形成されている。この折り返し部４２ｂが形成されていることにより、スロット４２ａが形成されている左側板４５および右側板４６の幅を短くできる。すなわち、図４に示すように左側板４５および右側板４６の端部を切り取ることができる。なお、スロット４０ａに対応する左側板４５および右側板４６の切り取ることができない端部４５ａ，４６ａを内側に折曲して、偏波ダイバーシチアンテナ３をより小型にしてもよい。図４に示す第３の偏波ダイバーシチアンテナ４を地上デジタル放送を受信する受信アンテナに適用した際には、第１の偏波ダイバーシチアンテナ１と同様の寸法とすることができ、小型の地上デジタル放送用受信アンテナとなることから、室内に設置して地上デジタル放送を受信するアンテナとして好適なアンテナとなる。
【００２０】
本発明の図１に示す第１の偏波ダイバーシチアンテナ１を地上デジタル放送用受信アンテナに適用し、第１の偏波ダイバーシチアンテナ１のＸ、Ｙ、Ｚの座標軸を図１に示す座標軸とした際の指向特性を図５ないし図１２に示す。なお、正面板１４の幅Ｂは約６０ｍｍ、左側板１５および右側板１６の幅Ａは約８５ｍｍ、高さＨは約２００ｍｍとしている。
図５は、周波数４７０ＭＨｚとした際の第１の偏波ダイバーシチアンテナ１のＸ−Ｚ面（水平面）における水平偏波の指向特性である。９０°および２７０°方向の電界レベルは、０°および１８０°方向の電界レベルより約４ｄＢ落ちているだけの指向特性とされている。
【００２１】
図６は、周波数５７０ＭＨｚとした際の第１の偏波ダイバーシチアンテナ１のＸ−Ｚ面（水平面）における水平偏波の指向特性である。９０°および２７０°方向の電界レベルは、０°および１８０°方向の電界レベルより約２ｄＢ落ちているだけの指向特性とされている。
図７は、周波数６７０ＭＨｚとした際の第１の偏波ダイバーシチアンテナ１のＸ−Ｚ面（水平面）における水平偏波の指向特性である。０°および１８０°方向の電界レベルは、９０°および２７０°方向の電界レベルより約１．５〜２ｄＢ落ちているだけの指向特性とされている。
図８は、周波数７７０ＭＨｚとした際の第１の偏波ダイバーシチアンテナ１のＸ−Ｚ面（水平面）における水平偏波の指向特性である。０°および１８０°方向の電界レベルは、９０°および２７０°方向の電界レベルより約４ｄＢ落ちているだけの指向特性とされている。
【００２２】
図９は、周波数４７０ＭＨｚとした際の第１の偏波ダイバーシチアンテナ１のＸ−Ｚ面（水平面）における垂直偏波の指向特性である。９０°および２７０°方向の電界レベルは、０°方向の電界レベルより約１〜１．５ｄＢ落ちているだけとされ、１８０°方向の電界レベルは、０°方向の電界レベルより約３ｄＢ落ちているだけの指向特性とされている。
図１０は、周波数５７０ＭＨｚとした際の第１の偏波ダイバーシチアンテナ１のＸ−Ｚ面（水平面）における垂直偏波の指向特性である。９０°および２７０°方向の電界レベルは、０°方向の電界レベルより約０．５ｄＢ落ちているだけとされ、１８０°方向の電界レベルは、０°方向の電界レベルより約２ｄＢ落ちているだけの指向特性とされている。
【００２３】
図１１は、周波数６７０ＭＨｚとした際の第１の偏波ダイバーシチアンテナ１のＸ−Ｚ面（水平面）における垂直偏波の指向特性である。９０°および２７０°方向の電界レベルは、０°方向の電界レベルより約０．５〜１ｄＢ落ちているだけとされ、１８０°方向の電界レベルは、０°方向の電界レベルより約２ｄＢ落ちているだけの指向特性とされている。
図１２は、周波数７７０ＭＨｚとした際の第１の偏波ダイバーシチアンテナ１のＸ−Ｚ面（水平面）における垂直偏波の指向特性である。９０°および２７０°方向の電界レベルは、０°方向の電界レベルより約０．５ｄＢ落ちているだけとされ、１８０°方向の電界レベルは、０°方向の電界レベルより約１．５ｄＢ落ちているだけの指向特性とされている。
【００２４】
本発明の図１に示す第１の偏波ダイバーシチアンテナ１は、断面コ字状に構成されていることから、図５ないし図１２に示すように８の字指向性であるスロットアンテナやノッチアンテナの指向特性を水平偏波および垂直偏波ともにほぼ無指向性にすることができる。
また、本発明の図１に示す第１の偏波ダイバーシチアンテナ１を地上デジタル放送用受信アンテナに適用した際に、Ｘ−Ｚ面（水平面）において偏波ダイバーシチアンテナ１を前後左右に回転した際の周波数（４５０ＭＨｚ〜８００ＭＨｚ）に対する利得特性を図１３および図１４に示す。
図１３は、第１の偏波ダイバーシチアンテナ１を前・後・左・右に向けた際の水平偏波用ノッチアンテナ１０の周波数に対する利得特性を示している。図示するように、前および後に向けた際には低域において利得が高くなり、高域において利得が低くなる利得特性となっている。また、左および右に向けた際には低域において利得が低くなり、高域において利得が高くなる利得特性となっている。そして、６２０ＭＨｚ近辺において前・後・左・右に向けた際の利得がほぼ等しくされており、この周波数において水平偏波はほぼ無指向性とされていることがわかる。なお、−３ｄＢラインはダイポールアンテナにおける利得の半分の利得（−３ｄＢ）を示すラインである。
【００２５】
図１４は、偏波ダイバーシチアンテナ１を前・後・左・右に向けた際の垂直偏波用スロットアンテナ１２の周波数に対する利得特性を示している。図示するように、前に向けた際の利得特性が一番高くなり、左あるいは右に向けた際の利得特性が次に高くなり、後に向けた際の利得が一番低い利得特性となっている。そして、高域に向かうに従って前・後・左・右に向けた際の利得が近づくようになり、垂直偏波は高域においてほぼ無指向性とされていることがわかる。なお、−３ｄＢラインはダイポールアンテナにおける利得の半分の利得（−３ｄＢ）を示すラインである。
前記した指向特性および利得特性より、地上デジタル放送におけるＵＨＦ全帯域（帯域巾約４８％）において良好な電気的性能が得られ、第１の偏波ダイバーシチアンテナ１が小型にも係わらず広帯域かつほぼ無指向性であることがわかる。また、図２ないし図４に示す偏波ダイバーシチアンテナ２，３，４においても同様の良好な電気的性能が得られると共に、小型にも係わらず広帯域特性かつ無指向性を得ることができる。このように、本発明にかかる偏波ダイバーシチアンテナを室内に設置した際には、その設置方向を任意の方向に向けることができるようになる。
【００２６】
【発明の効果】
本発明は以上のように、導電板を断面コ字状あるいはＵ字状に折曲して、この導電板にほぼ垂直方向のスリットを設けて水平偏波用アンテナとすると共に、ほぼ水平方向のスロットを設けて垂直偏波用アンテナとしたので、水平偏波用アンテナと垂直偏波用アンテナとを一体化した偏波ダイバーシチアンテナとすることができる。このため、偏波ダイバーシチアンテナを小型化することができ、ＵＨＦ帯の偏波ダイバーシチアンテナに適用した際には室内に設置可能な小型のアンテナとすることができる。さらに、断面コ字状あるいはＵ字状に折曲したことから、水平偏波用アンテナおよび垂直偏波用アンテナをほぼ無指向性とすることができ、室内に設置した際に設置方向を任意に向けることができるようになる。また、スロットの端部を折り曲げるようにしたので、さらに偏波ダイバーシチアンテナを小型化することができる。
【図面の簡単な説明】
【図１】本発明の実施の形態にかかる偏波ダイバーシチアンテナの第１の構成を示す図である。
【図２】本発明の実施の形態にかかる第１の偏波ダイバーシチアンテナの変形例を示す図である。
【図３】本発明の実施の形態にかかる偏波ダイバーシチアンテナの第２の構成を示す図である。
【図４】本発明の実施の形態にかかる偏波ダイバーシチアンテナの第３の構成を示す図である。
【図５】本発明の第１の偏波ダイバーシチアンテナにおいて周波数４７０ＭＨｚとした際のＸ−Ｚ面における水平偏波の指向特性を示す図である。
【図６】本発明の第１の偏波ダイバーシチアンテナにおいて周波数５７０ＭＨｚとした際のＸ−Ｚ面における水平偏波の指向特性を示す図である。
【図７】本発明の第１の偏波ダイバーシチアンテナにおいて周波数６７０ＭＨｚとした際のＸ−Ｚ面における水平偏波の指向特性を示す図である。
【図８】本発明の第１の偏波ダイバーシチアンテナにおいて周波数７７０ＭＨｚとした際のＸ−Ｚ面における水平偏波の指向特性を示す図である。
【図９】本発明の第１の偏波ダイバーシチアンテナにおいて周波数４７０ＭＨｚとした際のＸ−Ｚ面における垂直偏波の指向特性を示す図である。
【図１０】本発明の第１の偏波ダイバーシチアンテナにおいて周波数５７０ＭＨｚとした際のＸ−Ｚ面における垂直偏波の指向特性を示す図である。
【図１１】本発明の第１の偏波ダイバーシチアンテナにおいて周波数６７０ＭＨｚとした際のＸ−Ｚ面における垂直偏波の指向特性を示す図である。
【図１２】本発明の第１の偏波ダイバーシチアンテナにおいて周波数７７０ＭＨｚとした際のＸ−Ｚ面における垂直偏波の指向特性を示す図である。
【図１３】本発明の第１の偏波ダイバーシチアンテナを前・後・左・右に向けた際の水平偏波用ノッチアンテナの周波数に対する利得特性を示すグラフである。
【図１４】本発明の第１の偏波ダイバーシチアンテナを前・後・左・右に向けた際の垂直偏波用スロットアンテナの周波数に対する利得特性を示すグラフである。
【図１５】ダイポールアンテナを用いて受信する場合と、偏波ダイバーシチアンテナを用いて受信する場合のアンテナ移動距離（波長）に対する相対受信電界強度特性を示すグラフである。
【符号の説明】
１  偏波ダイバーシチアンテナ、２  偏波ダイバーシチアンテナ、３  偏波ダイバーシチアンテナ、４  偏波ダイバーシチアンテナ、１０  水平偏波用ノッチアンテナ、１０ａ  スリット、１１  第１給電点、１２  垂直偏波用スロットアンテナ、１２ａ  スロット、１２ｂ  折り返し部、１３  第２給電点、１４  正面板、１５  左側板、１５ａ，１６ａ  折曲部、１６  右側板、２０  水平偏波用ノッチアンテナ、２０ａ  スリット、２１  第１給電点、２２  垂直偏波用スロットアンテナ、２２ａ  スロット、２２ｂ  折り返し部、２３  第２給電点、２４  正面板、２５  左側板、２５ａ，２６ａ  突出部、２６  右側板、３０  水平偏波用ノッチアンテナ、３０ａ  スリット、３１  第１給電点、３２  垂直偏波用スロットアンテナ、３２ａ  スロット、３２ｂ  折り返し部、３３  第２給電点、３４  円弧状正面板、３５  左側板、３５ａ，３６ａ  端部、３６  右側板、４０ａ  スロット、４０  水平偏波用スロットアンテナ、４０ｂ  折り返し部、４１  第１給電点、４２  垂直偏波用スロットアンテナ、４２ａ  スロット、４２ｂ  折り返し部、４３  第２給電点、４４  正面板、４５  左側板、４５ａ，４６ａ  端部、４６  右側板
【図１】
0003923847.tif 000002
【図２】
0003923847.tif 000003
【図３】
0003923847.tif 000004
【図４】
0003923847.tif 000005
【図５】
0003923847.tif 000006
【図６】
0003923847.tif 000007
【図７】
0003923847.tif 000008
【図８】
0003923847.tif 000009
【図９】
0003923847.tif 000010
【図１０】
0003923847.tif 000011
【図１１】
0003923847.tif 000012
【図１２】
0003923847.tif 000013
【図１３】
0003923847.tif 000014
【図１４】
0003923847.tif 000015
【図１５】
0003923847.tif 000016